(57)【要約】【課題】トロリーシステムの施工現場における給電ラインの配索作業を容易にする。【解決手段】給電ラインを、エンドジョイナ６１、Ｌ型ジョイナ６２、及び給電線７の組み合わせで形成する。【選択図】図１
2009227170.tif 000002
【特許請求の範囲】
【請求項１】
給電ラインから移動体に非接触で給電する非接触給電システムであって、
定尺の給電線と、
前記給電線同士をＬ字状に接続するとともに該給電線間を電気的に接続するＬ型接続器と、
前記給電線同士をＵ字状に接続するとともに該給電線間を電気的に接続する終端接続器とを備え、
前記給電ラインが、前記Ｌ型接続器、前記終端接続器、及び前記給電線の組み合わせで形成されることを特徴とする非接触給電システム。
【発明の詳細な説明】
【技術分野】
【０００１】
本発明は、トロリーシステムにおいて利用される、給電ラインから移動体に非接触で給電する非接触給電システムに関する。
【背景技術】
【０００２】
従来、非接触給電システムにおいて用いられる給電線同士を電気的及び機械的に接続する接続方法としては、それぞれの給電線の端部に接続端子を設けてこれらを端子台に螺合することで給電線同士を直列に接続する方法が知られている（たとえば、特許文献１参照）。
【特許文献１】特開２００２−１７８８００号公報
【発明の開示】
【発明が解決しようとする課題】
【０００３】
しかしながら、上記のような接続方法では、上述のとおり、それぞれの給電線の端部に接続端子を設けてこれらを端子台に螺合しなければならないので、トロリーシステムの施工現場における給電ラインの配索作業が煩雑となる。
【０００４】
本発明は、上記の事情に鑑みてなされたものであり、その目的とするところは、トロリーシステムの施工現場における給電ラインの配索作業を容易にすることができる非接触給電システムを提供することにある。
【課題を解決するための手段】
【０００５】
本発明に係る非接触給電システムは、上記の課題を解決するために、給電ラインから移動体に非接触で給電する非接触給電システムであって、定尺の給電線と、給電線同士をＬ字状に接続するとともにこの給電線間を電気的に接続するＬ型接続器と、給電線同士をＵ字状に接続するとともにこの給電線間を電気的に接続する終端接続器とを備え、給電ラインが、Ｌ型接続器、終端接続器、及び給電線の組み合わせで形成されることを特徴とする。
【発明の効果】
【０００６】
本発明に係る非接触給電システムによれば、給電ラインが、Ｌ型接続器、終端接続器、及び給電線の組み合わせで形成されるので、トロリーシステムの施工現場における給電ラインの配索作業を容易に行うことができる。
【発明を実施するための最良の形態】
【０００７】
以下、本発明の一実施形態となる非接触給電システムについて図面を参照しながら説明する。
【０００８】
本実施形態に係るトロリーシステム１は、図１に示すように、移動用レール２と、移動体３と、非接触給電システム４とで構成されている。
【０００９】
移動用レール２は、図示省略した工場や倉庫などの躯体に固定して設置されおり、後述する移動体３を移動経路に案内する。この移動用レール２には、移動体３の移動経路に沿って直線部分や、折曲部分、湾曲部分などが形成されている。
【００１０】
移動体３は、移動用レール２に沿って配索された非接触給電システム４の給電ラインから電磁誘導により非接触で電力を受給し、この電力をもとにモーター３１を駆動して移動用レール２に沿って移動する。
【００１１】
非接触給電システム４は、移動用レール２に沿って配索された給電ラインに高周波電流を流すことで移動体３に電力を供給する。以降、この非接触給電システム４に本発明を適用した一実施形態について詳しく説明する。
【００１２】
本発明の一実施形態となる非接触給電システム４は、図１に示すように、高周波電源５と、ジョイナ６と、給電線７とで構成されている。
【００１３】
高周波電源５は、高周波電流を発生するものであって、移動用レール２に沿って配索された給電ラインに発生した高周波電流を供給する。
【００１４】
ジョイナ６は、Ｕ字状や、Ｌ字状、直線状に後述する給電線７同士を接続するとともに、これら給電線７間を電気的に接続する。このジョイナ６には、それぞれの接続形態に合わせて、エンドジョイナ６１、Ｌ型ジョイナ６２、及び直列ジョイナ６３の３種類がある。このうち、エンドジョイナ６１及びＬ型ジョイナ６２については後に詳しく説明する。
【００１５】
給電線７は、所定の長さの長尺体として形成されたものであって、給電線ハンガー８を用いて移動用レール２に沿って往路と復路の２線が配索される。この際、給電線７同士はジョイナ６で接続される。すなわち、非接触給電システム４の給電ラインは、ジョイナ６及び給電線７の組み合わせで形成される。この給電線７は、図２に示すように、導体部７１と、絶縁部７２とで構成されている。
【００１６】
導体部７１は、導体からなる管状の内導体管７１ａ及び外導体管７１ｂが同心円状に配置された二重管構造をしている。内導体管７１ａと外導体管７１ｂとは、内導体管７１ａの外周の四方に設けられた連結リブ７１ｃによって連結されており、内導体管７１ａと外導体管７１ｂとの間及び内導体管７１ａ内には絶縁物７１ｄが詰められている。なお、給電線７の端部７ａについては、後述するエンドジョイナ６１及びＬ型ジョイナ６２の差込接続部６１ｂ，６２ｂを差し込めるよう導体部７１に絶縁物７１ｄが詰められていない。
【００１７】
絶縁部７２は、合成樹脂などの柔軟性を有する絶縁体で円柱形状に形成されており、導体部７１を中心部に埋設している。
【００１８】
つぎに、前述したエンドジョイナ６１について図３を参照しながら詳しく説明する。
【００１９】
エンドジョイナ６１は、給電線７同士をＵ字状に接続するとともに、これら給電線７間を電気的に接続する。具体的には、エンドジョイナ６１は、往路側の給電線７と復路側の給電線７とを移動用レール２の終端部分において接続する際に用いられる。このエンドジョイナ６１は、図３に示すように、筐体部６１ａと、差込接続部６１ｂとで構成されている。
【００２０】
筐体部６１ａは、略半円形状であって、湾曲部６１ｃの反対側の側部６１ｄに後述する差込接続部６１ｂが２つ設けられており、これら差込接続部６１ｂ同士がその内部で電気的に接続される。
【００２１】
差込接続部６１ｂは、給電線７の導体部７１に差込自在に差し込めるような導体からなる管状のものである。
【００２２】
つづいて、前述したＬ型ジョイナ６２について図４を参照しながら詳しく説明する。
【００２３】
Ｌ型ジョイナ６２は、給電線７同士をＬ字状に接続するとともに、これら給電線７間を電気的に接続する。具体的には、Ｌ型ジョイナ６２は、移動用レール２の折曲部分においてＬ字状に配索された給電線７同士を接続する際に用いられる。このＬ型ジョイナ６２は、図４に示すように、筐体部６２ａと、差込接続部６２ｂとで構成されている。
【００２４】
筐体部６２ａは、略Ｌ字形状であって、後述する差込接続部６２ｂが端部６２ｃにそれぞれ設けられており、これら差込接続部６２ｂ同士がその内部で電気的に接続される。
【００２５】
差込接続部６２ｂは、給電線７の導体部７１に差込自在に差し込めるような導体からなる管状のものである。なお、Ｌ型ジョイナ６２は、給電線７同士の間隔を調整したい場合にも二以上を組み合わせることで対応することができる。
【００２６】
以上の説明から明らかなように、本発明の一実施形態となる非接触給電システム４によれば、給電ラインが、エンドジョイナ６１、Ｌ型ジョイナ６２、及び給電線７の組み合わせで形成されるので、トロリーシステム１の施工現場における給電ラインの配索作業を容易に行うことができる。また、本実施形態では、エンドジョイナ６１及びＬ型ジョイナ６２の差込接続部６１ｂ，６２ｂが給電線７の導体部７１に差込自在に差し込まれるので、給電ラインを事前に形成して各種設定を行ってからトロリーシステム１の施工現場に部材を搬入することができ、また、移動体３の移動経路に変更があった場合に給電ラインを容易に変更することができる。
【００２７】
以上、本発明者によってなされた発明を適用した一実施形態について説明したが、この実施形態による開示の一部をなす論述及び図面により本発明が限定されることはない。すなわち、上記の実施形態に基づいて当業者によってなされる、ほかの実施形態、運用技術、及び実施例などは本発明の範囲にすべて含まれることを付け加えておく。
【図面の簡単な説明】
【００２８】
【図１】本発明の一実施形態に係るトロリーシステムの構成を示すシステム構成図である。
【図２】本発明の一実施形態となる非接触給電システムにおける、給電線の内部構造を示す断面図である。
【図３】本発明の一実施形態となる非接触給電システムにおける、エンドジョイナの外観を示す斜視図である。
【図４】本発明の一実施形態となる非接触給電システムにおける、Ｌ型ジョイナの外観を示す斜視図である。
【符号の説明】
【００２９】
１  トロリーシステム
２  移動用レール
３  移動体
３１  モーター
４  非接触給電システム
５  高周波電源
６  ジョイナ
６１  エンドジョイナ（終端接続器）
６１ａ  筐体部
６１ｂ  差込接続部
６１ｃ  湾曲部
６１ｄ  側部
６２  Ｌ型ジョイナ（Ｌ型接続器）
６２ａ  筐体部
６２ｂ  差込接続部
６２ｃ  端部
６３  直列ジョイナ
７  給電線
７ａ  端部
７１  導体部
７１ａ  内導体管
７１ｂ  外導体管
７１ｃ  連結リブ
７１ｄ  絶縁物
７２  絶縁部
８  給電線ハンガー
【図１】
2009227170.tif 000003
【図２】
2009227170.tif 000004
【図３】
2009227170.tif 000005
【図４】
2009227170.tif 000006